(57)【要約】【課題】  回収した便の外観や臭気を容器内に閉じ込め得る構造を有すると共に、取りこぼした糞を回収する際に用いる道具を洗浄が容易な態様で容器と一体化し得る構造を有する犬の糞回収具の提供。【解決手段】  柄１ａを有する容器１と、容器１の受け口２を開閉する装脱可能な蓋３からなり、容器１は、柄１ａの基部に表裏を貫通した横長の長孔４を備え、蓋３は、可撓性を有する閉鎖板３ａ、及び開閉の際の支点となる屈曲部Ｐを設けた帯状の操作レバー３ｂを備え、容器１の長孔４に蓋３の操作レバー３ｂをその屈曲部Ｐが長孔４の縁４ａに接する領域まで挿入して構成される犬の糞回収具。【選択図】      図３（Ａ）（Ｂ）（Ｃ）
2010263865.tif 000002
【特許請求の範囲】
【請求項１】
柄（１ａ）を有する容器（１）と、容器（１）の受け口（２）を開閉する装脱可能な蓋（３）からなり、
容器（１）は、柄（１ａ）の基部に表裏を貫通した横長の長孔（４）を備え、
蓋（３）は、可撓性を有する閉鎖板（３ａ）、及び開閉の際の支点となる屈曲部（Ｐ）を設けた帯状の操作レバー（３ｂ）を備え、
容器（１）の長孔（４）に蓋（３）の操作レバー（３ｂ）をその屈曲部（Ｐ）が長孔（４）の縁（４ａ）に接する領域まで挿入して構成される犬の糞回収具。
【発明の詳細な説明】
【技術分野】
【０００１】
本発明は、犬の散歩の際に用いる糞の回収具に関する。
【背景技術】
【０００２】
愛犬家の増加に伴い、散歩中における犬の排泄の後始末放棄が社会問題ともなっている。
かかる問題を解決する途として、犬の排泄の後始末に用いる道具の携帯に便宜を図ることや、そういった道具自体の機能を向上させることが考えられ、下に示す特許文献に開示された手法が具体的な方策として挙げられる。
【０００３】
特許文献１は、レバーによって容器の蓋を開閉する技術を開示し、特許文献２は、柄の取手部分にスコップを内蔵した技術を開示し、特許文献３にあっては、リング状の形を有する網を張ったことによって計量化を図る技術を開示する。
【先行技術文献】
【特許文献】
【０００４】
【特許文献１】特開平１０−０１４４３０号公報
【特許文献２】特開２００８−２５９４３４号公報
【特許文献３】特開２００９−０７２１７３号公報
【発明の概要】
【発明が解決しようとする課題】
【０００５】
上記文献に示した手法は、原則、排便を直接容器で受け止める形で使用するものであるが、取りこぼした際にはスコップ等で拾い上げなければならない。
特許文献２は、それに用いるスコップを収納したものであるが、洗浄が困難な道具の一部に収納する手法では、便が収納箇所に付着する等、不衛生となる。
また、回収した糞は、人目に触れないことや、悪臭を封じることが望ましく、そのためにも透視困難な容器や蓋を備えた容器が望まれる（例えば、前記特許文献１参照）。
【０００６】
本発明は、この様な要請を満足すべくなされたものであって、回収した便の外観や臭気を容器内に閉じ込め得る構造を有すると共に、取りこぼした糞を回収する際に用いる道具を洗浄が容易な態様で容器と一体化し得る構造を有する犬の糞回収具の提供を目的とする。
【課題を解決するための手段】
【０００７】
上記課題を解決するためになされた本発明による犬の糞回収具は、柄を有する容器と、容器の受け口を揺動等により開閉する装脱可能な蓋からなる。
容器は、その受け口に蓋が密着する封鎖縁を備えると共に、柄の基部に表裏を貫通した横長の長孔を備え、蓋は、可撓性を有する閉鎖板、及び開閉の際の揺動等の支点となる屈曲部を設けた帯状の操作レバーを備える。
容器の長孔に蓋の操作レバーをその屈曲部が長孔の縁に接する領域まで挿入すれば、犬の糞回収具として構成される。
【発明の効果】
【０００８】
上記構成によれば、排泄された糞を比較的容易に受け止めることは勿論、容器から蓋を離脱させて糞を拾い上げる道具として用いることができる。即ち、当該蓋の閉鎖板は、その可撓性によって、手で糞に直接触れることなく糞を摘み上げることができる他、軟質の糞であれば蓋を湾曲させてすくい上げることができるという様に、可撓性ある蓋を糞回収具のツールとして多様に用いることができる。
【０００９】
使用によって付着した糞も板状の形態を以って容易に洗浄することができる他、糞に触れない操作レバーを介して容器と連結することから、容器の洗浄困難な箇所を汚すこともない。
【図面の簡単な説明】
【００１０】
【図１（Ａ）（Ｂ）】本発明による犬の糞回収具の一例を示した斜視図である。
【図２（Ａ）（Ｂ）】図１に示す犬の糞回収具の分解例を示した斜視図である。
【図３（Ａ）（Ｂ）（Ｃ）】本発明による犬の糞回収具の一例を示した斜視図である。
【図４（Ａ）（Ｂ）（Ｃ）（Ｄ）】本発明による犬の糞回収具における蓋の変形態様例を示した斜視図である。
【図５（Ａ）（Ｂ）】本発明による犬の糞回収具の一例を示した斜視図である。
【図６】図３（Ｂ）のＡ−Ａ矢視断面図である。
【発明を実施するための形態】
【００１１】
以下、本発明による犬の糞回収具の実施の形態を図面に基づき説明する。
図に示す犬の糞回収具は、柄１ａを有する容器１と、容器１の受け口２を揺動により開閉する装脱可能な蓋３からなる。
【００１２】
容器１は、不透明又は内容物が認識できない程度の透明性となる合成樹脂を成形したものであって、容器本体１ｂの側壁の上位に、一方向へ略水平に突出した柄１ａを設けたものである。
容器本体１ｂは、上に開口した受け口２を有し、その受け口２に蓋３が密着する閉鎖縁２ａを備える。
柄１ａは、裏面中央部に全長にわたる一本の溝５が形成され、表面中央部の全長にわたってリブ６が一体的に成形されている。柄１ａの基部には、表裏を貫通し前記溝５に通じる横長の長孔４を備える。
【００１３】
蓋３は、合成樹脂を均等な肉厚の薄板状に成形し可撓性を持たせた閉鎖板３ａ、及び同じく合成樹脂を成形し弾性を持たせた帯状の操作レバー３ｂを備える。
操作レバー３ｂは、前記長孔４に挿入でき、且つ前記溝５に収まる幅と厚みを備え、蓋３を開閉する際の揺動の支点となる屈曲部Ｐを備える。
【００１４】
また、操作レバー３ｂの屈曲部Ｐから先は、屈曲部Ｐを境に裏面側へ傾斜し、その傾斜角は、蓋３が完全に閉鎖している場合には、柄１ａと操作レバー３ｂとが密着することなく所定の鋭角を成し、且つ、蓋３が略全開した場合には、操作レバー３ｂの先端が容器１の側壁に接する程度に近接する程度の角度とする。
【００１５】
図に示す犬の糞回収具は、容器１の長孔４に蓋３の操作レバー３ｂをその屈曲部Ｐの谷側の面が長孔４の縁に接する領域まで挿入することにより、当該操作レバー３ｂは、前記溝５の内部へ進入し、閉鎖板３ａと一体となった揺動が可能となる。その際、当該操作レバー３ｂの揺動が当該溝５の側壁５ａに沿うことを以って、蓋３の横ブレが抑制され、また、操作レバー３ｂが帯状であり、且つ長孔４が横長であることを以って、蓋３の揺動の際の縦ブレが抑制されることとなる（図６参照）。
【００１６】
図１は円形状の容器本体１ｂを用いた例であり、図３は方形状の容器本体１ｂを用いた例である。いずれも、容器本体１ｂの受け口２の形状に合った外形の閉鎖板３ａを用いることとなる。
【００１７】
上記いずれの例にあっても受け口２の閉鎖縁２ａの全周は略面一となり、操作レバー３ｂを柄１ａに向けて圧することにより、屈曲部Ｐの山側の面が接する長孔４の縁を支点とした梃子の原理が働き、操作レバー３ｂの弾性、及び閉鎖板３ａの可撓性を以って、平板状の閉鎖板３ａが受け口２の閉鎖縁２ａに図３（Ｂ）（Ｃ）の如く密着する。その結果、回収した便の臭気を容器１内に閉じ込めることができる。
【００１８】
尚、閉鎖板３ａに対して一定の形状記憶処理がなされる場合には、受け口の形態は、閉鎖板３ａの形状に応じて適宜設定すればよい。また、受け口２と閉鎖板３ａの間にナイロン袋等を介在させる場合には、当該ナイロン袋を定着させる構造を与えても良い。
【００１９】
操作レバー３ｂは、帯状であることから、長孔４から比較的容易に取り外すことができる（図２参照）。一方で、屈曲部Ｐの存在により、いたずらに長孔４から離脱しない構造でもある（図３参照）。
【００２０】
容器１から取り外された蓋３の閉鎖板３ａは、その可撓性によって、子供や高齢者が加えられる様な比較的弱い力で、取りこぼした糞を地面からすくい上げ易い形状に適宜変形させることができる（図４参照）。例えば、図４（Ａ）に示す形態から幅を縮める方向へ加圧すれば図４（Ｂ）（Ｃ）の様に変形し、図４（Ｃ）にあっては、手で糞に直接触れることなく糞を摘み上げることができる。また、軟質の糞であれば図４（Ａ）に示す形態から長手方向を縮める様に加圧することによって、図４（Ｄ）の様に閉鎖板３ａをヘラの様に湾曲させてすくい上げることができる。
【００２１】
また、犬の尻と地面との距離に応じて容器の深さを対応させ得る様に、容器本体１ｂを以下の構造とすることができる。
【００２２】
第一の構造は、一様に傾斜した側壁を複数段に分割し、各段を構成する断面が相似形状である各側壁部材７の最上位の周長を、その真上に繋がる側壁部材７の最下位の周長よりも長くすることによって、各側壁部材７を連結し、且つ上位の側壁部材７に下位の側壁部材７が収容される構造とするものである（図５（Ａ）参照）。
第二の構造は、第一の構造における最上位の側壁部材７に、下位の側壁部材７に換えてネット８や袋を固定し得る構造とするものである（図５（Ｂ）参照）。
【符号の説明】
【００２３】
１  容器，１ａ  柄，１ｂ  容器本体，２  受け口，２ａ  閉鎖縁，
３  蓋，３ａ  閉鎖板，３ｂ  操作レバー，４  長孔，４ａ  縁，Ｐ  屈曲部，
５  溝，５ａ  側壁，６  リブ，
７  側壁部材，８  ネット，
【図１（Ａ）（Ｂ）】
2010263865.tif 000003
【図２（Ａ）（Ｂ）】
2010263865.tif 000004
【図３（Ａ）（Ｂ）（Ｃ）】
2010263865.tif 000005
【図４（Ａ）（Ｂ）（Ｃ）（Ｄ）】
2010263865.tif 000006
【図５（Ａ）（Ｂ）】
2010263865.tif 000007
【図６】
2010263865.tif 000008